(57)【要約】      （修正有）【課題】入浴者に適切な温度にした冷却温水を安定して供給することができる原温水供給装置を提供する。【解決手段】温泉の原温水を冷却水と熱交換することにより入浴者に適切な温度にした冷却温水を供給するよう温泉の原温水供給装置を構成する。原温水を冷却する熱交換器１１と、上記熱交換器へ原温水を供給する原温水供給管路１２と、上記熱交換器に冷却水を供給すると共に供給される冷却水量を制御しうる制御弁部１３を有する冷却装置１４と、熱交換された冷却温水を風呂へ供給する冷却温水供給管路１５と、上記冷却温水供給管路に配置され、冷却温水の温度を測定すると共に上記制御弁部を制御して供給される冷却水量を調整することができる冷却温水温度検知装置１６とを備え、上記冷却装置は開放型の冷却塔１７により構成され、冷却水を殺菌しうる紫外線殺菌装置が設けられている。【選択図】図１
0003178765.tif 000002
【実用新案登録請求の範囲】
【請求項１】
温泉の原温水を冷却水と熱交換することにより入浴者に適切な温度にした冷却温水を供給する温泉の原温水供給装置であって、原温水を冷却する熱交換器と、上記熱交換器へ原温水を供給する原温水供給管路と、上記熱交換器に冷却水を供給すると共に供給される冷却水量を制御しうる制御弁部を有する冷却装置と、熱交換された冷却温水を風呂へ供給する冷却温水供給管路と、冷却温水の温度を測定すると共に上記制御弁部を制御して供給される冷却水量を調整することができる冷却温水温度検知装置とを備え、上記冷却装置は開放型の冷却塔により構成され、冷却水を殺菌しうる紫外線殺菌装置が設けられていることを特徴とする原温水供給装置。
【請求項２】
上記熱交換器はプレート式熱交換器であることを特徴とする請求項１記載の原温水供給装置。
【請求項３】
上記プレート式熱交換器の熱交換プレートはチタン製であることを特徴とする請求項２記載の原温水供給装置。
【考案の詳細な説明】
【技術分野】
【０００１】
本考案は、高温の温泉水を水道水により薄めることなく冷却し、冷却した温泉水を浴槽等に供給する原温水供給装置に関する。
【背景技術】
【０００２】
一般に、温泉設備において源泉が高温である場合には、源泉を水道水により薄めることにより適切な温度に調節した後、浴槽に供給させている。しかしながら、源泉を水道水により薄めた場合には、源泉の泉質を維持することができず、泉質が劣化してしまうという問題がある。
【０００３】
そこで、従来、高温の温泉水を水道水により薄めることなく冷却する熱交換装置として、実用新案登録第３１２６８３５号（特許文献１）に開示された熱交換システムが提案されている。
【０００４】
上記熱交換システムは、温泉水の導入口と導出口とを備えた熱交換器本体内に、冷却水を流通させる伝熱コイルを複数個備え、複数個の上記伝熱コイルのうちいくつかの伝熱コイル内を通過する冷却水が循環する第１ループと、上記伝熱コイルのうち残りの上記伝熱コイル内を通過する冷却水が循環する第２のループを別個に設け、第１ループの中で冷却水の流出口の後に貯湯タンクを設け、上記貯湯タンクを給湯用ボイラーに連結するとともに、第２ループの途中には冷却水を冷却する冷却装置が設けられている。
【０００５】
しかしながら、このような従来技術にあっては、冷却装置において冷却される冷却水内において発生する可能性のあるレジオネラ菌に対する対策は全く考慮されていない。
【特許文献１】実用新案登録第３１２６８３５号公報
【考案の開示】
【考案が解決しようとする課題】
【０００６】
そこで、本考案の課題は、従って、温泉水の熱交換を常時行うことができ、利用者に健康被害を発生させないようにし、入浴者に適切な温度にした冷却温水を安定して供給することができる原温水供給装置を提供することにある。
【課題を解決するための手段】
【０００７】
上記課題を解決するために、請求項１の考案に係る原温水供給装置にあっては、温泉の原温水を冷却水と熱交換することにより入浴者に適切な温度にした冷却温水を供給する温泉の原温水供給装置であって、原温水を冷却する熱交換器と、上記熱交換器へ原温水を供給する原温水供給管路と、上記熱交換器に冷却水を供給すると共に供給される冷却水量を制御しうる制御弁部を有する冷却装置と、熱交換された冷却温水を風呂へ供給する冷却温水供給管路と、冷却温水の温度を測定すると共に上記制御弁部を制御して供給される冷却水量を調整することができる冷却温水温度検知装置とを備え、上記冷却装置は開放型の冷却塔により構成され、冷却水を殺菌しうる紫外線殺菌装置が設けられていることを特徴とする。
【０００８】
したがって、請求項１記載の考案にあっては、上記冷却温水温度検知装置により、測定された冷却温水の温度に応じて上記制御弁部が自動的に制御され、上記熱交換器に供給される冷却水量が制御されると共に、上記冷却装置は開放型の冷却塔によって構成され、冷却水中のレジオネラ菌を殺菌することができる。
【０００９】
請求項２の考案に係る原温水供給装置にあっては、上記熱交換器はプレート式熱交換器であることを特徴とする。
【００１０】
請求項３の考案に係る原温水供給装置にあっては、上記プレート式熱交換器の熱交換プレートはチタン製であることを特徴とする。
【００１１】
請求項３記載の考案にあっては、上記プレート式熱交換器の熱交換プレートはチタン製であることから、腐食性のある温泉水に対して耐久性を有する。
【考案の効果】
【００１２】
請求項１及び２記載の考案に係る原温水供給装置にあっては、上記冷却温水温度検知装置により、測定された冷却温水の温度に応じて上記制御弁部が自動的に制御され、上記熱交換器に供給される冷却水量が制御されることから、入浴者に適切な温度に設定した冷却温水を安定して供給することができる。
【００１３】
また、上記冷却装置は開放型の冷却塔によって構成されていることから、所定の規模の流量の温泉水を常時熱交換して適温の原温水を供給でき、さらに、上記冷却塔に紫外線殺菌装置が設けられていることから、上記開放型の冷却塔内においてレジオネラ菌が発生した場合であっても、紫外線殺菌装置によりレジオネラ菌を積極的に殺菌することができ、レジオネラ菌を原因とする温泉利用者の健康被害の発生を有効に防止することができる。
【００１４】
請求項３の考案に係る原温水供給装置にあっては、温泉水の有する腐食性に対して耐久性を有することから、メンテナンスの頻度を低減することができ、長期間にわたって安定して使用することが可能である。
【図面の簡単な説明】
【００１５】
【図１】本考案に係る原温水供給装置の一実施の形態における原温水供給装置の構成を示す模式図である。
【考案を実施するための最良の形態】
【００１６】
以下、添付図面に示す実施の形態に基づき、本考案を詳細に説明する。
【００１７】
図１に示すように、本実施の形態に係る原温水供給装置１０は、温泉の原温水を冷却水と熱交換することにより入浴者に適切な温度にした冷却温水を供給する温泉の原温水供給装置である。
【００１８】
図１に示すように、上記原温水供給装置１０は、原温水を冷却する熱交換器１１と、上記熱交換器１１へ原温水を供給する原温水供給管路１２と、上記熱交換器１１に冷却水を供給すると共に供給される冷却水量を制御しうる制御弁部１３を有する冷却装置１４と、熱交換された冷却温水を温泉風呂（図示せず）へ供給する冷却温水供給管路１５と、上記冷却温水供給管路１５に配置され、冷却温水の温度を測定すると共に上記制御弁部１３を制御して供給される冷却水量を調整することができる冷却温水温度検知装置１６とを備える。
【００１９】
上記冷却装置１４は開放型の冷却塔１７により構成されており、上記冷却塔１７から上記熱交換器１１へ冷却水を供給する冷却水導入管路１８と、上記熱交換器１１から上記冷却塔１７へ熱交換後の冷却水を供給する冷却水導出管路１９を有すると共に、上記冷却水導入管路１８には、冷却水を殺菌しうる紫外線殺菌装置２０が設けられている。
【００２０】
上記開放型の冷却塔１７は、上部から水を落とし、大気と接触させて蒸発させることで水を冷却するように構成されている。このような開放型の冷却塔１７は、構造が簡単で故障は少なく、冷却水そのものを直接的に蒸発させ、蒸発熱を逃がすので効率がよい。
また、本実施の形態にあっては、冷却塔１７に紫外線殺菌装置２０が設けられていることから、冷却塔２０において発生する可能性のあるレジオネラ菌を殺菌することができる。
【００２１】
即ち、冷却水の中で、藻類や原生動物が繁殖した場合には、レジオネラ菌の繁殖環境を形成することから、熱交換時に発生するエアロゾルによってレジオネラ菌が空気中に浮遊し、レジオネラ症の感染の可能性も否定できない。本実施の形態における紫外線殺菌装置２０は、このようなレジオネラ菌の除菌のために設けられているものであり、紫外線の照射により有効に殺菌することができる。
【００２２】
上記熱交換器１１はチタン製のプレート式熱交換器により構成されている。  図１に示すように、上記原温水供給装置１０は、使用者が風呂へ供給する冷却温水の温度を設定しうる操作盤２１を有しており、上記冷却温水温度検知装置１６は、上記操作盤２１内に配設されている。
【００２３】
また、上記冷却温水供給管路１５上には熱交換後の冷却温水の温度を計測しうる温度センサー２３が配置されている。
【００２４】
また、上記制御弁部１３は、冷却水導入管路１８と冷却水導出管路１９との間に接続され、冷却水を上記熱交換器１１を通過することなく冷却水導入管路１８から冷却水導出管路１９へ流通させうる冷却水分岐管路２４上に配置されている。
【００２５】
上記操作盤２１は、上記冷却塔１７に接続されており、上記冷却塔１７のファン２５を制御していると共に、上記操作盤２１内に配設された上記冷却温水温度検知装置１６は、上記温度センサー２３および上記制御弁部１３にそれぞれ接続されている。
【００２６】
上記温度センサー２３は、冷却温水の温度を計測すると共に、計測した温度を信号として上記冷却温水温度検知装置１６に送信し、冷却温水温度検知装置１６は、上記信号に基づいて、上記制御弁部１３の開閉を制御することにより、上記熱交換器１１に流入する冷却水量を制御するように構成されている。
【００２７】
以下、本実施の形態に係る原温水供給装置１０の作用について説明する。
上記原温水供給装置１０は、上記冷却温水温度検知装置１６を構成する温度センサー２３により測定された冷却温水の温度に応じて上記制御弁部１３が自動的に制御され、上記熱交換器１１に供給される冷却水量が制御されることから、入浴者に適切な温度にした冷却温水を安定して供給することができる。
【００２８】
また、上記冷却装置１４は開放型の冷却塔１７によって構成されていることから、熱交換後の高温になった冷却水を効率よく冷却することができる。
上記冷却塔１７には、紫外線殺菌装置２０が設けられていることから、冷却塔１７内の冷却水中のレジオネラ菌を殺菌することができることから、上記開放型の冷却塔１７からレジオネラ菌が飛散し、温泉利用者に感染する可能性を除去できる。
【００２９】
また、上記プレート式熱交換器１１の熱交換プレートはチタン製であることから、温泉水の有する腐食性に対して耐久性を有し、メンテナンスの頻度を低減することができ、長期間にわたって使用することが可能である。
【産業上の利用可能性】
【００３０】
本考案は、高温の温泉水を水道水に薄めることなく冷却し、冷却した温泉水を浴槽等に供給する原温水供給装置に適用可能であり、産業上の利用可能性を有している。
【符号の説明】
【００３１】
１０  原温水供給装置
１１  熱交換器
１２  原温水供給管路
１３  制御弁部
１４  冷却装置
１５  冷却温水供給管路
１６  冷却温水温度検知装置
１７  冷却塔
１８  冷却水導入管路
１９  冷却水導出管路
２０  紫外線殺菌装置
２１  操作盤
２２  ポンプ
２３  温度センサー
２４  冷却水分岐管路
２５  ファン
【図１】
0003178765.tif 000003